(57)【要約】  伝送装置１００におけるリンク断情報送信部１３０は、伝送装置１００のいずれかのリンクグループに属する１つまたは複数の有線伝送路の障害が検出された際に、該リンクグループの障害を示すリンク断情報を対向の伝送装置に送信する。リンク制御部１４０は、対向の伝送装置側からリンク断情報を受信した際に、伝送装置１００における各リンクグループのうちの、受信したリンク断情報が示す対向の伝送装置側のリンクグループに対応する伝送装置１００側のリンクグループに含まれる各有線伝送路を切断する。伝送装置間の伝送路を介して接続された伝送装置により、各伝送装置に接続された複数の有線伝送路の信号を伝送するシステムにおいて、障害の発生を通知する際に、システム全体の通信効率の悪化を回避する。
2012056711.tif 000002
【特許請求の範囲】
【請求項１】
伝送装置間伝送路を介して対向接続された１対の伝送装置により、各前記伝送装置に接続された複数の有線伝送路の信号を伝送するシステムにおける前記伝送装置であって、
該伝送装置に接続された各前記有線伝送路と、該有線伝送路が属するリンクグループとの対応関係を示す自装置グループ情報を保持する自装置グループ情報保持手段であって、１つの前記リンクグループが、該伝送装置に接続された１つ以上の有線伝送回路と、前記伝送装置間伝送路とを有してなる前記自装置グループ情報保持手段と、
該伝送装置の各前記リンクグループと、該伝送装置と対向接続された伝送装置の各前記リンクグループとの対応関係を示す装置間グループ情報を保持する装置間グループ情報保持手段と、
前記自装置グループ情報を参照して、該伝送装置のいずれかの前記リンクグループに属する１つまたは複数の前記有線伝送路の障害が検出された際に、該リンクグループの障害を示すリンク断情報を、前記伝送装置間伝送路を介して、該伝送装置と対向接続された伝送装置に送信するリンク断情報送信手段と、
該伝送装置に接続されたいずれかの前記有線伝送路の障害が検出された際に、該有線伝送路を切断し、
前記伝送装置間伝送路の障害が検出された際に、該伝送装置に接続された全ての前記有線伝送路を切断し、
前記伝送装置間伝送路を介して、該伝送装置と対向接続された伝送装置のいずれかのリンクグループの障害を示す前記リンク断情報を受信した際に、前記装置間グループ情報と前記自装置グループ情報とを参照して、該伝送装置におけるリンクグループのうちの、受信した前記リンク断情報が示すリンクグループに対応するリンクグループに含まれる各前記有線伝送路を切断するリンク制御手段とを備えることを特徴とする伝送装置。
【請求項２】
前記伝送装置間伝送路は、無線伝送路であることを特徴とする請求項１に記載の伝送装置。
【請求項３】
該伝送装置に接続された複数の有線伝送路は、ユーザにより任意に「使用」または「未使用」の設定が可能であり、
前記自装置グループ情報保持手段と、前記装置間グループ情報保持手段と、前記リンク断情報送信手段と、前記リンク制御手段とは、「使用」に設定された前記有線伝送路のみを対象とすることを特徴とする請求項１または２に記載の伝送装置。
【請求項４】
伝送装置間伝送路と、該伝送装置間伝送路を介して対向接続された１対の伝送装置とを有し、該１対の伝送装置により、各前記伝送装置に接続された複数の有線伝送路の信号を伝送する伝送システムであって、
前記伝送装置は、
該伝送装置に接続された各前記有線伝送路と、該有線伝送路が属するリンクグループとの対応関係を示す自装置グループ情報を保持する自装置グループ情報保持手段であって、１つの前記リンクグループが、該伝送装置に接続された１つ以上の有線伝送回路と、前記伝送装置間伝送路とを有してなる前記自装置グループ情報保持手段と、
該伝送装置の各前記リンクグループと、該伝送装置と対向接続された伝送装置の各前記リンクグループとの対応関係を示す装置間グループ情報を保持する装置間グループ情報保持手段と、
前記自装置グループ情報を参照して、該伝送装置のいずれかの前記リンクグループに属する１つまたは複数の前記有線伝送路の障害が検出された際に、該リンクグループの障害を示すリンク断情報を、前記伝送装置間伝送路を介して、該伝送装置と対向接続された伝送装置に送信するリンク断情報送信手段と、
該伝送装置に接続されたいずれかの前記有線伝送路の障害が検出された際に、該有線伝送路を切断し、
前記伝送装置間伝送路の障害が検出された際に、該伝送装置に接続された全ての前記有線伝送路を切断し、
前記伝送装置間伝送路を介して、該伝送装置と対向接続された伝送装置のいずれかのリンクグループの障害を示す前記リンク断情報を受信した際に、前記装置間グループ情報と前記自装置グループ情報とを参照して、該伝送装置におけるリンクグループのうちの、受信した前記リンク断情報が示すリンクグループに対応するリンクグループに含まれる各前記有線伝送路を切断するリンク制御手段とを備えることを特徴とする伝送システム。
【請求項５】
前記伝送装置間伝送路は、無線伝送路であることを特徴とする請求項４に記載の伝送システム。
【請求項６】
前記伝送装置に接続された複数の有線伝送路は、ユーザにより任意に「使用」または「未使用」の設定が可能であり、
前記自装置グループ情報保持手段と、前記装置間グループ情報保持手段と、前記リンク断情報送信手段と、前記リンク制御手段とは、「使用」に設定された前記有線伝送路のみを対象とすることを特徴とする請求項４または５に記載の伝送システム。
【請求項７】
伝送装置間伝送路を介して対向接続された１対の伝送装置が各前記伝送装置に接続された複数の有線伝送路の信号を伝送するシステムにおける前記伝送装置による障害通知方法において、
該伝送装置に接続された各前記有線伝送路と、該有線伝送路が属するリンクグループとの対応関係を示す自装置グループ情報を保持し、
１つの前記リンクグループが、該伝送装置に接続された１つ以上の有線伝送回路と、前記伝送装置間伝送路とを有してなり、
該伝送装置の各前記リンクグループと、該伝送装置と対向接続された伝送装置の各前記リンクグループとの対応関係を示す装置間グループ情報を保持し、
前記自装置グループ情報を参照して、該伝送装置のいずれかの前記リンクグループに属する１つまたは複数の前記有線伝送路の障害が検出された際に、該リンクグループの障害を示すリンク断情報を、前記伝送装置間伝送路を介して、該伝送装置と対向接続された伝送装置に送信し、
該伝送装置に接続されたいずれかの前記有線伝送路の障害が検出された際に、該有線伝送路を切断し、
前記伝送装置間伝送路の障害が検出された際に、該伝送装置に接続された全ての前記有線伝送路を切断し、
前記伝送装置間伝送路を介して、該伝送装置と対向接続された伝送装置のいずれかのリンクグループの障害を示す前記リンク断情報を受信した際に、前記装置間グループ情報と前記自装置グループ情報とを参照して、該伝送装置におけるリンクグループのうちの、受信した前記リンク断情報が示すリンクグループに対応するリンクグループに含まれる各前記有線伝送路を切断することを特徴とする障害通知方法。
【請求項８】
複数の有線伝送路および無線伝送路のそれぞれと接続する伝送装置であって、
前記複数の有線伝送路の少なくとも１つと無線伝送路とで構成されるグループを示すグループ情報を保持するグループ情報保持手段と、
前記複数の有線伝送路のいずれかで障害が検出された場合に、前記グループ情報を参照して、前記無線伝送路に障害情報を出力する障害情報出力手段と
を備える
ことを特徴とする伝送装置。
【請求項９】
前記障害情報出力手段は、前記グループ情報により、同じグループに属する有線伝送路の一部だけに障害が検出された場合は、前記無線伝送路に前記障害情報を出力せず、
前記グループに属する有線伝送路の全てに障害が検出された場合は、前記無線伝送路に前記障害情報を出力する
ことを特徴とする請求項８に記載の伝送装置。
【請求項１０】
前記グループ情報保持手段は、前記グループと、自装置と前記無線伝送路を介して対向する他の伝送装置のグループとの対応関係を示す装置間グループ情報を保持する
ことを特徴とする請求項８または９に記載の伝送装置。
【請求項１１】
前記伝送装置が前記無線伝送路から障害情報を受信した場合、前記装置間グループ情報を参照して、前記障害情報で示される前記他の伝送装置のグループと対応関係にある自装置のグループに属する有線伝送路を切断するリンク制御手段をさらに備えることを特徴とする請求項１０に記載の伝送装置。
【請求項１２】
前記リンク制御手段は、前記自装置のグループに属する全ての有線伝送路を切断することを特徴とする請求項１１に記載の伝送装置。
【請求項１３】
複数の有線伝送路および無線伝送路のそれぞれと接続する伝送装置に用いられる通信方法であって、
前記複数の有線伝送路の少なくとも１つと無線伝送路とで構成されるグループを示すグループ情報を保持し、
前記複数の有線伝送路のいずれかで障害が検出された場合に、前記グループ情報を参照して、前記無線伝送路に障害情報を出力する
ことを特徴とする通信方法。
【請求項１４】
前記グループ情報により、同じグループに属する有線伝送路の一部だけに障害が検出された場合は、前記無線伝送路に前記障害情報を出力せず、
前記グループに属する有線伝送路の全てに障害が検出された場合は、前記無線伝送路に前記障害情報を出力する
ことを特徴とする請求項１３に記載の通信方法。
【請求項１５】
さらに、前記グループと、自装置と前記無線伝送路を介して対向する他の伝送装置のグループとの対応関係を示す装置間グループ情報を保持する
ことを特徴とする請求項１３または１４に記載の通信方法。
【請求項１６】
前記伝送装置が前記無線伝送路から障害情報を受信した場合、前記装置間グループ情報を参照して、前記障害情報で示される前記他の伝送装置のグループと対応関係にある自装置のグループに属する有線伝送路を切断することを特徴とする請求項１５に記載の通信方法。
【請求項１７】
前記自装置のグループに属する全ての有線伝送路を切断することを特徴とする請求項１６に記載の通信方法。
【発明の詳細な説明】
【技術分野】
【０００１】
本発明は、障害通知技術、具体的には、伝送装置間の伝送路を介して接続された伝送装置により、各伝送装置に接続された複数の有線伝送路の信号を伝送するシステムにおける障害通知技術に関する。
【背景技術】
【０００２】
伝送路の一部に無線伝送路を用いて、例えばＩＥＥＥ８０２．３で標準化されたＬＡＮ（Ｌｏａｃａｌ  Ａｒｅａ  Ｎｅｔｗｏｒｋ）信号を送受信するシステムが知られている。このようなシステムにおいて、有線伝送路によりネットワーク機器と接続された端局は、ネットワーク機器からのＬＡＮ信号を、無線伝送路を介して対向する相手端局に送信し、相手端局は、無線伝送路を介して受信した信号を、有線伝送路により自身と接続されたネットワーク機器に出力する。【０００３】
特許文献１には、上述したようなシステムに対して、無線伝送路を介して接続された端局のいずれかが伝送路（該端局と接続された有線伝送路及び無線伝送路）の障害を検出したときに、自局のネットワーク機器に障害を通知すると共に、対向する端局のネットワーク機器にも通知する手法が開示されている。【０００４】
この手法では、端局は、伝送路の障害を検出したときに、該端局と接続された有線伝送路の回線を切断すると共に、障害を通知する制御信号列をデータ列に代えて無線伝送路に出力することにより対向する端局に該制御信号列を送信する。また、対向する端局から上記制御信号列を受信したときにも、自局の有線伝送路を切断する。【０００５】
この手法によれば、端局は、自身が伝送路の障害を検出したときに自局のネットワーク機器に障害を通知することができると共に、対向する端局が伝送路の障害を検出したときにも自局のネットワーク機器にその障害を通知することができる。【０００６】
近年、ネットワークのＩＰ化が進んでおり、上述したようなシステムでは、端局は、複数の有線伝送路を収容し、スイッチング機能を備えることが多くなっている。【０００７】
特許文献１には、各端局が複数の有線伝送路を収容するシステムについても、自局の各ネットワーク機器、及び相手局の各ネットワーク機器に障害を通知する手法が開示されている（特許文献１における図８、「００７６」、「００７７」）。【０００８】
この手法では、各端局は、自局の複数の有線伝送路毎に、該有線伝送路の障害を検出する機能と、無線伝送路の障害を検出する機能と、障害を検出したときに上述した制御信号列を無線伝送路に出力する機能を備え、障害を検出したとき及び対向する端局から上記制御信号列を受信したときに該有線伝送路を切断する。【０００９】
この手法によれば、各端局が複数の有線伝送路を収容するシステムにおいても、自局で伝送路の障害を検出したときに自局のネットワーク機器に障害を通知することができると共に、対向する端局が伝送路の障害を検出したときにも自局のネットワーク機器にその障害を通知することができる。【００１０】
伝送路の一部に無線伝送路を用いたシステムに限らず、伝送装置（上述した端局に対応する）間の伝送路（上述した無線伝送路に対応する）を介して接続された伝送装置により、各伝送装置に接続された複数の有線伝送路の信号を伝送するシステムに適用できると考えられる。【００１１】
本願発明がなされた後に行った先行技術の調査では、ＡＴＭ（非同期伝送モード）回線によりフレームリレールータなどのフレームリレー端末（以下、ＦＲ端末と呼ぶ）間の通信が中継されるシステムにおける多重化装置による障害通知の手法を開示した特許文献２が見つかっている。【００１２】
上述した多重化装置は、ＦＲ端末毎に設けられた、該ＦＲ端末を収容するフレームリレーインタフェース収容部（以下、ＦＲインタフェース収容部と呼ぶ）と、ＡＴＭスイッチ部と、複数のＡＴＭセル多重部を備える。【００１３】
各ＦＲ端末からのフレームデータは、該ＦＲ端末を収容するＦＲインタフェース収容部によってＡＴＭセルに変換された後、ＡＴＭスイッチ部を介して、複数中のいずれかのＡＴＭセル多重部に出力される。【００１４】
ＡＴＭセル多重部は、ＡＴＭスイッチ部の複数の出線からのＡＴＭセルを多重してＡＴＭ回線に送出しようとするものであるが、輻輳を監視する機能を備える。輻輳が生じたときに、ＡＴＭセル多重部は、ＡＴＭスイッチ部から与えられたＡＴＭセルを破棄せざるを得ないため、ＦＲ端末に輻輳の通知をする必要がある。【００１５】
従来では、ＡＴＭセル多重部は、輻輳を検出したときに、輻輳を示す管理用セルを用いて、多重化されている論理チャネル（仮想チャネル識別子：ＶＣＩ）毎に、その論理チャネルに対応するＦＲインタフェース収容部に輻輳を通知する。通知を受けたＦＲインタフェース収容部は、通知毎に、その通知のＡＴＭでの論理チャネルに対応するフレーム論理チャネル（ＦＲ−ＤＬＣＩ）を求め、フレームリレー標準インタフェースプロトコルに準拠した、ＢＥＮＣビットを有意にした通知フレームを生成してＦＲ端末に送信する。【００１６】
しかし、従来の手法では、１個のＦＲインタフェース収容部と、輻輳を検出したＡＴＭセル多重部との間に、複数の論理チャネルが設定されている場合、論理チャネル毎に輻輳の通知がなされるため、１個のＡＴＭセル多重部で輻輳が検出される度に複数の輻輳通知がなされる。その結果、同一のＡＴＭ回線に設定する論理チャネルの数（１個のＡＴＭセル多重部が処理する論理チャネル数の数）が多いと、輻輳通知数増大し、ＦＲインタフェース収容部は、ＡＴＭセル多重部から次から次と到来する輻輳通知の受信処理と、収容しているＦＲ端末へ輻輳通知を送信する処理とを行うので、輻輳通知処理が煩雑となり、その処理自体が輻輳してしまう。また、ＡＴＭセル多重部も、同一のＡＴＭ回線に設定されている論理チャネルの数だけ通知動作を実行しなければならず、処理負担が大きくなっている。【００１７】
このような問題は、ＡＴＭセル多重部が自己の障害やＡＴＭ回線の障害を検出し、最終的にＦＲ端末へ障害を通知する場合にも、同様に生じる。【００１８】
特許文献２に開示された手法は、多重化装置において、各ＡＴＭセル多重部の夫々について、そのＡＴＭセル多重部に接続されている全ての論理チャネルの情報をグループ化して保持し、監視項目異常（上述した輻輳や障害など）を検出したときに、グレープの特定情報を含む監視情報を、ＡＴＭスイッチ部を介して、全てまたは一部の論理チャネルがそのグループに属している全てのＦＲインタフェース収容部に通知する。通知を受けたＦＲインタフェース収容部、すなわち全てまたは一部の論理チャネルがそのグループに属している各ＦＲインタフェース収容部は、そのグループに属している論理チャネルに対応しているＦＲ端末に対して、監視情報を通知する。この手法によれば、ＡＴＭセル多重部から、１個のＦＲインタフェース収容部への監視情報の通知は１回でよいため、各機能ブロックの通信処理負担を軽減できる。
【先行技術文献】
【特許文献】
【００１９】
【特許文献１】特開２００６−０６７２３９号公報
【特許文献２】特開平１０−０１３４３６号公報
【発明の概要】
【発明が解決しようとする課題】
【００２０】
ところで、端局と端局間に無線伝送路が用いられ、夫々の端局が複数の有線伝送路を収容したシステムにおける障害通知について、特許文献１に開示された手法は、自局の個々の有線伝送路で検出した障害を制御信号列により相手局のネットワーク機器に通知することができるが、制御信号列を受信した端局は、自局のどのネットワーク機器に通知するか、すなわちどの有線伝送路を切断するかについての開示がない。【００２１】
もし、相手局における１つの有線伝送路の障害を示す制御信号列を受信した端局が自局の全ての有線伝送路を切断するようにすると、相手局において障害が生じたその有線伝送路とは相関のない信号を伝送する伝送路による信号の伝送もできなくなり、システム全体の通信効率が悪くなってしまう。【００２２】
また、特許文献２に開示された手法は、１個のＦＲインタフェース収容部と、輻輳を検出したＡＴＭセル多重部との間に、複数の論理チャネルが設定されている場合、論理チャネル毎に輻輳の通知がなされるため、１個のＡＴＭセル多重部で輻輳などの障害が検出される度に複数の通知がなされる問題を解決するために、論理チャネルに基づいたグループ化を行うものであり、特許文献２に開示された手法と、特許文献１に開示された上述の手法を組み合わせて、伝送装置間の伝送路を介して接続された伝送装置により、各伝送装置に接続された複数の有線伝送路の信号を伝送するシステムに適用しようとしても、対向の伝送装置に接続されたいずれかの有線伝送路で障害が検出されたことを示す制御信号列を受信した伝送装置は、自身と接続されたどの有線伝送路を切断すべきかが相変わらず分からない。【００２３】
本発明は、上記事情を鑑みてなされたものであり、伝送装置間の伝送路を介して接続された伝送装置により、各伝送装置に接続された複数の有線伝送路の信号を伝送するシステムにおいて、障害の発生を通知する際に、システム全体の通信効率の悪化を回避する技術を提供する。
【課題を解決するための手段】
【００２４】
本発明の１つの態様は、伝送装置間伝送路を介して対向接続された１対の伝送装置が各前記伝送装置に接続された複数の有線伝送路の信号を伝送するシステムにおける前記伝送装置による障害通知方法である。この障害通知方法は、自装置グループ情報保持工程と、装置間グループ情報保持工程と、リンク断情報送信工程と、リンク制御工程とを有する。【００２５】
自装置グループ情報保持工程は、該伝送装置に接続された各前記有線伝送路と、該有線伝送路が属するリンクグループとの対応関係を示す自装置グループ情報を保持する。なお、１つの前記リンクグループは、該伝送装置に接続された１つ以上の有線伝送回路と、前記伝送装置間伝送路とを有してなる。【００２６】
装置間グループ保持工程は、該伝送装置の各前記リンクグループと、該伝送装置と対向接続された伝送装置の各前記リンクグループとの対応関係を示す装置間グループ情報を保持する。【００２７】
リンク断情報送信工程は、前記自装置グループ情報を参照して、該伝送装置のいずれかの前記リンクグループに属する１つまたは複数の前記有線伝送路の障害が検出された際に、該リンクグループの障害を示すリンク断情報を、前記伝送装置間伝送路を介して、該伝送装置と対向接続された伝送装置に送信する。【００２８】
リンク制御工程は、該伝送装置に接続されたいずれかの前記有線伝送路の障害が検出された際に、該有線伝送路を切断する。また、前記伝送装置間伝送路の障害が検出された際に、該伝送装置に接続された全ての前記有線伝送路を切断する。さらに、前記伝送装置間伝送路を介して、該伝送装置と対向接続された伝送装置のいずれかのリンクグループの障害を示す前記リンク断情報を受信した際に、前記装置間グループ情報と前記自装置グループ情報とを参照して、該伝送装置におけるリンクグループのうちの、受信した前記リンク断情報が示すリンクグループに対応するリンクグループに含まれる各前記有線伝送路を切断する。【００２９】
なお、上記態様の障害通知方法を実施する伝送装置や、該伝送装置を含むシステムや、該方法をコンピュータに実行せしめるプログラム、該プログラムを記録した記録媒体なども、本発明の態様としては有効である。
【発明の効果】
【００３０】
本発明にかかる技術によれば、伝送装置間の伝送路を介して接続された伝送装置により、各伝送装置に接続された複数の有線伝送路の信号を伝送するシステムにおいて、障害の発生を通知する際に、システム全体の通信効率の悪化を回避できる。
【図面の簡単な説明】
【００３１】
【図１】本発明の原理を説明するために用いた伝送装置を示す図である。
【図２】自装置グループ情報の例を示す図である。
【図３】装置間グループの情報の例を示す図である。
【図４】対向の伝送装置が複数ある場合における自装置グループ情報の例を示す図である。
【図５】対向の伝送装置が複数ある場合における装置間グループ情報の例を示す図である。
【図６】本発明にかかる実施の形態を示す伝送システムを示す図である。
【図７】図６に示す伝送システムにおける伝送装置を示す図である。
【図８】図７に示す伝送装置における制御部を示す図である。
【図９】図６に示す伝送システムにおける運用例（その１）を説明するための図である。
【図１０】図６に示す伝送システムにおける運用例（その２）を説明するための図である。
【図１１】図６に示す伝送システムにおける運用例（その３）を説明するための図である。
【図１２】図６に示す伝送システムにおける運用例（その４）を説明するための図である。
【発明を実施するための形態】
【００３２】
以下、図面を参照して、本発明の実施の形態を説明する。説明の明確化のため、以下の記載及び図面は、適宜、省略、及び簡略化がなされている。また、様々な処理を行う機能ブロックとして図面に記載される各要素は、ハードウェア的には、ＣＰＵ、メモリ、その他の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。なお、各図面において、同一の要素には同一の符号が付されており、必要に応じて重複説明は省略されている。
【００３３】
また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００３４】
本発明の具体的な実施の形態を説明する前に、まず、図１を参照して本発明にかかる技術の原理を説明する。
【００３５】
図１は、伝送装置間の伝送路（以下略して「装置間伝送路」という）を介して対向接続された１対の伝送装置の片方であり、複数の有線伝送路（Ｒ１、Ｒ２、・・・、Ｒｎ）に接続されている。図１に示す伝送装置１００と、該伝送装置１００と対向接続された伝送装置とは、同様の構成を有する。なお、図１において、本発明にかかる技術を説明する上で必要な部分のみを示しており、この種の伝送装置に通常備えられる他の部分については図示及び説明を省略する。
【００３６】
伝送装置１００は、有線伝送路Ｒ１、Ｒ２、・・・、Ｒｎを介して、これらの有線伝送路に接続されたＬＡＮなどのネットワーク機器（図示せず）からの信号を受信して、装置間伝送路を介して、対向の伝送装置に送信する。また、装置間伝送路を介して対向の伝送装置が送信してきた、対向の伝送装置に接続された複数の有線伝送路からの信号を受信して、有線伝送路Ｒ１、Ｒ２、・・・、Ｒｎのいずれかに出力する。これらの動作は、通常の伝送装置と同様である。
【００３７】
伝送装置１００は、自装置グループ情報保持部１１０、装置間グループ情報保持部１２０、リンク断情報送信部１３０、リンク制御部１４０を備える。
【００３８】
自装置グループ情報保持部１１０は、自装置グループ情報を保持している。自装置グループ情報は、伝送装置１００に接続された各有線伝送路Ｒ１、Ｒ２、・・・、Ｒｎと、当該有線伝送路が属するリンクグループとの対応関係を示すものである。１つのリンクグループは、有線伝送路Ｒ１、Ｒ２、・・・、Ｒｎのうちの１つ以上の有線伝送路と、装置間伝送路とを有してなる。１つの有線伝送路は、１つのリンクグループに属している。なお、この自装置グループ情報は、ユーザにより任意に設定可能である。
【００３９】
図２は、伝送装置１００に４つの有線伝送路（Ｒ１、Ｒ２、Ｒ３、Ｒ４）が接続された場合の自装置グループ情報の一例を示す。図示のように、この例では、伝送装置１００側において、３つのリンクグループがあり、リンクグループ１Ａは、有線伝送路Ｒ１、Ｒ２、装置間伝送路を有し、リンクグループ２Ａは、有線伝送路Ｒ３と装置間伝送路を有し、リンクグループ３Ａは、有線伝送路Ｒ４と装置間伝送路を有する。
【００４０】
自装置グループ情報保持部１１０は、ユーザにより設定されたこのような自装置グループ情報を保持している。
【００４１】
装置間グループ情報保持部１２０は、装置間グループ情報を保持している。装置間グループ情報は、伝送装置１００の各リンクグループと、対向の伝送装置の各リンクグループとの対応関係を示すものである。また、この装置間グループ情報も、ユーザにより任意に設定可能である。
【００４２】
図３は、伝送装置１００が図２に示す自装置グループ情報を有する場合における装置間グループ情報の一例を示す。図３において、「自装置リンクグループ」は、伝送装置１００側のリンクグループを示し、「対向装置リンクグループ」は、対向の伝送装置側のリンクグループを示す。なお、この例では、対向の伝送装置側において、リンクグループ１Ｂ、リンクグループ２Ｂ、リンクグループ３Ｂのリンクグループがある。
【００４３】
図３に示すように、この例において、伝送装置１００側のリンクグループ１Ａは、対向の伝送装置側のリンクグループ１Ｂと２Ｂに対応し、リンクグループ２Ａはリンクグループ２Ｂに対応し、リンクグループ３Ａはリンクグループ３Ｂに対応する。
【００４４】
装置間グループ情報保持部１２０は、ユーザにより設定されたこのような装置間グループ情報を保持している。
【００４５】
リンク断情報送信部１３０は、伝送装置１００側の有線伝送路の障害をグループ単位で示すリンク断情報を対向の伝送装置に送信するものである。例えば、有線伝送路Ｒ１、Ｒ２、Ｒ３、Ｒ４のいずれか１つで障害が検出された（例えば該有線伝送路からの信号が異常になった）場合に、自装置グループ情報保持部１１０に保持された自装置グループ情報を参照して、該有線伝送路が属するグループについて、リンク断情報を送信する。具体的には、図２の自装置グループ情報の場合、例えば、有線伝送路Ｒ１に障害が検出された場合に、リンク断情報送信部１３０は、「リンクグループ１Ａ」の障害を示すリンク断情報を装置間伝送路に出力して対向の伝送装置に送信する。また、例えば、有線伝送路Ｒ３に障害が検出された場合に、「リンクグループ２Ａ」の障害を示すリンク断情報を装置間伝送路に出力して対向の伝送装置に送信する。
【００４６】
また、有線伝送路Ｒ１、Ｒ２、Ｒ３、Ｒ４のいずれか１つで障害が検出された場合に該有線伝送路が属するリンクグループについてリンク断情報を送信するのではなく、あるリンクグループに含まれる全ての有線伝送路に障害が検出された場合に該リンクグループについてリンク断情報を送信するようにしてもよい。具体的には、例えば、有線伝送路Ｒ１と有線伝送路Ｒ２の両方に障害が検出された場合に、リンクグループ１Ａについてリンク断情報を送信する一方、有線伝送路Ｒ１とＲ２のいずれか片方にのみ障害が検出された場合には、リンクグループ１Ａについてリンク断情報を送信しない。
【００４７】
有線伝送路のいずれ１つで障害が検出されれば該有線伝送路が属するグループについてリンク断情報を送信するか、または、リンクグループに属する全ての有線伝送路に障害が検出された場合に該リンクグループについてリンク断情報を送信するかのポリシーは、ユーザにより設定される。リンク断情報送信部１３０は、ユーザにより設定されたポリシーに従ってリンク断情報を送信する。
【００４８】
リンク制御部１４０は、伝送装置１００に接続されたいずれかの有線伝送路に障害が検出された場合と、装置間伝送路に障害が検出された場合と、対向の伝送装置からリンク断情報を受信した場合に、伝送装置１００に接続された有線伝送路の切断を行うことにより、該有線伝送路に接続されたネットワーク機器に障害を通知する。
【００４９】
具体的には、伝送装置１００に接続されたいずれかの有線伝送路で障害が検出された場合、リンク制御部１４０は、該有線伝送路を切断する。
【００５０】
また、装置間伝送路に障害が検出された場合、リンク制御部１４０は、伝送装置１００に接続された全ての有線伝送路を切断する。
【００５１】
また、装置間伝送路を介して、対向の伝送装置側のいずれかのリンクグループの障害を示すリンク断情報（対向装置リンク断情報）を受信した場合に、装置間グループ情報保持部１２０に保持された装置間グループ情報と、自装置グループ情報保持部１１０に保持された自装置グループ情報とを参照して、対向装置リンク断情報が示す対向の伝送装置におけるリンクグループに対応する自装置リンクグループに含まれる全ての有線伝送路を切断する。
【００５２】
図２と図３を参照して具体例を説明する。
例えば、対向の伝送装置からリンクグループ２Ｂについてのリンク断情報を受信すると、リンク制御部１４０は、まず、装置間グループ情報保持部１２０に保持された装置間グループ情報（図３）を参照して、リンクグループ２Ｂに対応する自装置リンクグループとしてリンクグループ１Ａとリンクグループ２Ａを抽出する。そして、自装置グループ情報保持部１１０に保持された自装置グループ情報を参照して、リンクグループ１Ａとリンクグループ２Ａに含まれる全ての有線伝送路Ｒ１、Ｒ２、Ｒ３を切断する。また、例えば、対向の伝送装置からのリンク断情報がリンクグループ１Ｂについてのものである場合には、リンク制御部１４０は、リンクグループ１Ｂに対応するリンクグループ１Ａに含まれる有線伝送路Ｒ１とＲ２を切断する。
【００５３】
このように、本発明にかかる技術は、夫々の伝送装置側の有線伝送路をグループ分けして対応付けておき、自装置側のリンク断情報による対向の伝送装置への障害通知、及び対向の伝送装置からのリンク断情報に基づいた自装置側の有線伝送路の切断をグループ単位に行うようにし、片方の伝送装置側のいずれかの有線伝送路の障害により、他方の伝送装置側の全ての有線伝送路の切断を回避することができる。そのため、障害通知を行う際に、障害が生じた有線伝送路と相関のない、対向の伝送装置における有線伝送路の切断を避けることができ、システム全体の通信効率の低下を防ぐことができる。
【００５４】
また、上記において、１つの装置間伝送路により１つの対向の伝送装置と接続された場合の例を説明したが、本発明にかかる技術は、ある伝送装置が、複数の装置間伝送路により複数の対向の伝送装置と夫々接続されたシステムにも適用することができ、また、適用することにより、上述した効果を得ることができる。
【００５５】
例えば、図１に示す伝送装置１００は、有線伝送路Ｒ１、Ｒ２、Ｒ３、Ｒ４と接続されていると共に、第１の装置間伝送路を介して、リンクグループ１Ｂ、２Ｂ、３Ｂの３つのリンクグループを有する第１の対向伝送装置と接続され、第２の装置間伝送路を介して、リンクグループ１Ｃとリンクグループ２Ｃの２つのリンクグループを有する第２の対向伝送装置と接続されているとする。なお、第１の対向伝送装置は、上記の説明にて述べた対向伝送装置と同一のものであるとする。
【００５６】
図４は、この場合において、伝送装置１００の自装置グループ情報保持部１１０が保持する自装置グループ情報の一例を示す。図示のように、伝送装置１００側において、３つのリンクグループがあり、各リンクグループは、１つ以上の有線伝送路と、１つ以上の装置間伝送路とを含む。
【００５７】
図５は、この場合において、伝送装置１００の装置間グループ情報保持部１２０が保持する装置間グループ情報の一例を示す。図示のように、この場合、伝送装置１００における各リンクグループは、夫々の対向伝送装置における各リンクグループに対応付けられている。
【００５８】
例えば、伝送装置１００において、有線伝送路Ｒ１に障害が検出された場合、リンク断情報送信部１３０は、有線伝送路Ｒ１が属するリンクグループ１Ａについて第１の装置間伝送路にリンク断情報を出力して第１の対向伝送装置にリンクグループ１Ａの障害を通知する。リンクグループ１Ａに第２の装置間伝送路が含まれていないため、この場合、リンク断情報送信部１３０は、第２の装置間伝送路に障害を通知する情報を送信しない。
【００５９】
また、例えば、伝送装置１００において、有線伝送路Ｒ２に障害が検出された場合、リンク断情報送信部１３０は、有線伝送路Ｒ２が属するリンクグループ２Ａについて第２の装置間伝送路と第２の装置間伝送路にリンク断情報を出力して第１と第２の対向伝送装置にリンクグループ２Ａの障害を通知する。
【００６０】
また、例えば、第２の対向伝送装置から、リンクグループ１Ｃについてのリンク断情報を受信すると、伝送装置１００におけるリンク制御部１４０は、まず、装置間グループ情報保持部１２０に保持された装置間グループ情報から、リンクグループ１Ｃに対応する自装置リンクグループ（リンクグループ２Ａ）を抽出する。そして、リンク制御部１４０は、自装置グループ情報保持部１１０に保持された自装置グループ情報を参照して、リンクグループ２Ａに含まれる全ての有線伝送路（Ｒ２、Ｒ３）を切断する。
【００６１】
また、第１の装置間伝送路に障害が検出された場合に、リンク制御部１４０は、自装置グループ情報保持部１１０に保持された自装置グループ情報を参照して、第１の装置間伝送路を含む全てのリンクグループ（リンクグループ１Ａ、２Ａ）に属する各々の有線伝送路（Ｒ１、Ｒ２、Ｒ３）を切断する。また、第２の装置間伝送路に障害が検出された際に、リンク制御部１４０は、自装置グループ情報保持部１１０に保持された自装置グループ情報を参照して、第２の装置間伝送路を含む全てのリンクグループ（リンクグループ２Ａ、３Ａ）に属する各々の有線伝送路（Ｒ２、Ｒ３、Ｒ４）を切断する。
【００６２】
以上に説明した原理を踏まえて、本発明にかかる技術を具現化したシステムを説明する。
【００６３】
図６は、本発明の実施の形態にかかる伝送システム２００を示す。伝送システム２００は、複数（ここでは例として３つ）の有線伝送路Ｒ１Ａ、Ｒ２Ａ、Ｒ３Ａに接続された伝送装置２１０と、複数（ここでは例として３つ）の有線伝送路Ｒ１Ｂ、Ｒ２Ｂ、Ｒ３Ｂに接続された伝送装置２９０と、伝送装置２１０と伝送装置２９０を対向接続する装置間伝送路となる無線伝送路２８０を備える。各有線伝送路は、ハブ、スイッチングハブ、ルータ、コンピュータ端末などの図示しないＬＡＮ機器と接続されている。
【００６４】
伝送装置２１０は、有線伝送路Ｒ１Ａ、Ｒ２Ａ、Ｒ３Ａを介して接続されたネットワーク機器からのＬＡＮデータを無線信号に変換して無線伝送路２８０に出力して伝送装置２９０に送信する。伝送装置２９０は、無線伝送路２８０を介して伝送装置２１０から送信されてきた無線信号をＬＡＮデータに変換して有線伝送路Ｒ１Ｂ、Ｒ２Ｂ、Ｒ３Ｂのうちの当該する有線伝送路に出力し、該有線伝送路に接続されたネットワーク機器に送信する。
【００６５】
同様に、伝送装置２９０は、有線伝送路Ｒ１Ｂ、Ｒ２Ｂ、Ｒ３Ｂを介して接続されたネットワーク機器からのＬＡＮデータを無線信号に変換して無線伝送路２８０に出力して伝送装置２１０に送信する。伝送装置２１０は、無線伝送路２８０を介して伝送装置２９０から送信されてきた無線信号をＬＡＮデータに変換して有線伝送路Ｒ１Ａ、Ｒ２Ａ、Ｒ３Ａのうちの当該する有線伝送路に出力し、該有線伝送路に接続されたネットワーク機器に送信する。
【００６６】
また、伝送装置２１０と伝送装置２９０は、自身に接続された有線伝送路や無線伝送路２８０に障害を検出すると共に、障害が検出された場合に、有線伝送路の切断や、対向の伝送装置への障害通知を行う。また、対向の伝送装置から障害通知を受信した場合にも、自身に接続された有線伝送路の切断を行う。
【００６７】
伝送装置２１０と伝送装置２９０は、互いに対向の伝送装置となり、同一の構成を有する。ここで、伝送装置２１０を代表にして、伝送装置２１０と伝送装置２９０を詳細に説明する。
【００６８】
図７は、伝送装置２１０を示す図である。伝送装置２１０は、ＬＡＮ信号終端部２２０、信号変換部２３０、信号再生部２４０、対向装置グループ情報抽出部２５０、対向装置リンク断情報抽出部２６０、無線信号送受信部２７０を有する。
【００６９】
ＬＡＮ信号終端部２２０は、有線伝送路Ｒ１Ａ、Ｒ２Ａ、Ｒ３Ａを介してＬＡＮ信号により、これらの有線伝送路と接続されたネットワーク機器との間でデータリンク層におけるリンク確立を行う。これらの有線伝送路のうちの、図示しないネットワーク機器とのリンクが確立している有線伝送路を介して、ネットワーク機器が出力したＬＡＮデータＤＬＳを信号変換部２３０に送信する。
【００７０】
本実施の形態において、伝送装置２１０側の各有線伝送路について、「使用」または「未使用」を示す使用状態はユーザにより任意に設定可能であり、ＬＡＮ信号終端部２２０は、各有線伝送路についてユーザが設定した「使用」または「未使用」の状態を示すＬＡＮポート情報ＬＰを制御部３００に出力する。ここでは、伝送装置２１０側の全ての有線伝送路（有線伝送路Ｒ１Ａ、Ｒ２Ａ、Ｒ３Ａ）が「使用」に設定されているとする。
【００７１】
また、ＬＡＮ信号終端部２２０は、有線伝送路Ｒ１Ａ、Ｒ２Ａ、Ｒ３Ａのうちの、障害が生じた有線伝送路について、障害があることを示す障害情報ＬＳを制御部３００に出力する。「有線伝送路に障害が生じた」とは、「使用」に設定されているのにもかかわらず、該有線伝送路に接続されたネットワーク機器とのリンクが確立されていないことや、その有線伝送路を介して受信したＬＡＮデータＤＬＳが異常データであることなどである。
【００７２】
また、ＬＡＮ信号終端部２２０は、信号再生部２４０からＬＡＮデータＤＬＲを受信し、リンクが確立している有線伝送路を介してネットワーク機器に出力する。
【００７３】
さらに、ＬＡＮ信号終端部２２０は、制御部３００が出力する後述のリンク断制御信号ＣＴＲを監視し、リンク断制御信号ＣＴＲが検出されている間、該リンク断制御信号ＣＴＲが示す有線伝送路を切断する。なお、有線伝送路を切断するとは、該有線伝送路に接続されたネットワーク機器とのリンクを切断することを意味する。
【００７４】
信号変換部２３０は、ＬＡＮ信号終端部２２０から受信したＬＡＮデータＤＬＳ、制御部３００からの自装置グループ情報ＳＲ、リンク断情報ＳＲＣを多重化して、送信データＤＳを生成して無線信号送受信部２７０に出力する。
【００７５】
信号再生部２４０は、伝送装置２９０が送信し、無線信号送受信部２７０により受信した受信データＤＲからＬＡＮ信号を抽出してＬＡＮデータＤＬＲに変換してＬＡＮ信号終端部２２０に出力する。
【００７６】
対向装置グループ情報抽出部２５０は、受信データＤＲから、伝送装置２９０側のグループ情報ＴＲを抽出して制御部３００に出力する。なお、伝送装置２９０側のグループ情報ＴＲは、伝送装置２９０にとって自装置グループ情報ＳＲであり、以下、伝送装置２１０側の自装置グループ情報ＳＲと区別するために「対向装置グループ情報」という。
【００７７】
対向装置リンク断情報抽出部２６０は、受信データＤＲから、伝送装置２９０側のリンク断情報ＴＲＣを抽出して制御部３００に出力する。なお、伝送装置２１０側のリンク断情報と区別するために、以下、伝送装置２９０側のリンク断情報ＴＲＣを以下「対向装置リンク断情報」という。
【００７８】
無線信号送受信部２７０は、信号変換部２３０からの送信データＤＳを無線信号に変換して、無線伝送路２８０を介して伝送装置２９０に出力すると共に、無線伝送路２８０を介して伝送装置２９０から受信した無線信号を受信データＤＲとして信号再生部２４０、対向装置グループ情報抽出部２５０、対向装置リンク断情報抽出部２６０に夫々出力する。
【００７９】
また、本実施の形態において、無線伝送路２８０の「使用」または「未使用」を示す使用状態もユーザにより任意に設定可能であり、無線信号送受信部２７０は、無線伝送路２８０についてユーザが設定した「使用」または「未使用」の状態を示す無線ポート情報ＭＰを生成して制御部３００に出力する。ここでは、無線伝送路が無線伝送路２８０の１つであるため、無線伝送路２８０が使用」に設定されているとする。
【００８０】
さらに、無線信号送受信部２７０は、無線伝送路２８０の障害状況を監視し、障害が生じた場合に、無線区間障害情報ＭＳを生成して制御部３００に出力する。「無線伝送路２８０に障害が生じた」とは、無線伝送路２８０が切断された場合や、無線伝送路２８０から受信した無線信号が異常である場合などである。
【００８１】
制御部３００は、ＬＡＮ信号終端部２２０からＬＡＮポート情報ＬＰと障害情報ＬＳを、無線信号送受信部２７０から無線ポート情報ＭＰと無線区間障害情報ＭＳを、対向装置グループ情報抽出部２５０から対向装置グループ情報ＴＲを、対向装置リンク断情報抽出部２６０から対向装置リンク断情報ＴＲＣを受信し、信号変換部２３０に自装置グループ情報ＳＲとリンク断情報ＳＲＣと、ＬＡＮ信号終端部２２０にリンク断制御信号ＣＴＲを出力する。制御部３００に対して、ユーザが後述する種々の設定が可能である。
【００８２】
図８を参照して制御部３００を詳細に説明する。
制御部３００は、自装置グループ情報保持部３１０、装置間グループ情報保持部３２０、リンク断情報送信部３３０、リンク制御部３４０を有する。
【００８３】
自装置グループ情報保持部３１０は、ＬＡＮポート情報ＬＰと無線ポート情報ＭＰが入力され、自装置グループ情報ＳＲを生成する。この自装置グループ情報ＳＲは、伝送装置２１０に接続された「使用」状態の有線伝送路（ここではＲ１Ａ、Ｒ２Ａ、Ｒ３Ａ）と、該有線伝送路が属するリンクグループとの対応関係を示すものである。１つのリンクグループは、有線伝送路Ｒ１Ａ、Ｒ２Ａ、Ｒ３Ａのうちの１つ以上の有線伝送路と、「使用」状態の無線伝送路（ここでは無線伝送路２８０）とを有してなる。なお、前述したように、１つの有線伝送路は、複数のリンクグループに属してもよい。この自装置グループ情報は、ユーザにより任意に設定可能であり、自装置グループ情報保持部３１０は、ＬＡＮポート情報ＬＰ、無線ポート情報ＭＰ、ユーザの設定に基づいて、自装置グループ情報ＳＲを生成して保持すると共に、リンク断情報送信部３３０に出力する。
【００８４】
装置間グループ情報保持部３２０は、対向装置グループ情報抽出部２５０から対向装置グループ情報ＴＲが入力され、装置グループ情報保持部３１０に保持された自装置グループ情報ＳＲを参照して装置間グループ情報ＳＢを生成して保持する。装置間グループ情報ＳＢは、自装置グループ情報ＳＲが示す伝送装置２１０の各リンクグループと、対向装置グループ情報ＴＲが示す伝送装置２９０の各リンクグループとの対応関係を示すものである。装置間グループ情報保持部３２０は、ユーザの設定に応じて装置間グループ情報ＳＢを生成する。
【００８５】
リンク断情報送信部３３０は、伝送装置２１０側の「使用」状態の有線伝送路の障害をグループ単位で示すリンク断情報ＳＲＣを生成して信号変換部２３０に出力する。このリンク断情報ＳＲＣは、信号変換部２３０と無線信号送受信部２７０により無線伝送路２８０に出力され、伝送装置２９０に送信される。
【００８６】
リンク断情報送信部３３０は、具体的には、ＬＡＮ信号終端部２２０から受信した障害情報ＬＳに基づいて、ユーザにより設定された障害通知ポリシーに従ってリンク断情報ＳＲＣを生成する。ユーザにより設定された障害通知のポリシーは、例えば、「あるリンクグループに１つでも障害が生じた有線伝送路があれば該リンクグループについて障害情報ＬＳを生成する」、または、「あるリンクグループに属する全ての有線伝送路に障害が生じた場合にのみ該リンクグループについて障害情報ＬＳを生成する」などである。
【００８７】
本実施の形態において、リンク断情報送信部３３０に対してユーザが設定した障害通知のポリシーが「あるリンクグループに属する全ての有線伝送路に障害が生じた場合にのみ該リンクグループについて障害情報ＬＳを生成する」であるとする。
【００８８】
そのため、リンク断情報送信部３３０は、ＬＡＮ信号終端部２２０から障害情報ＬＳを受信すると、自装置グループ情報保持部３１０に保持された自装置グループ情報ＳＲを参照して、それに属する全ての有線伝送路に障害が生じたリンクグループの有無を確認する。そして、そのようなリンクグループがあれば有れば、該リンクグループについてリンク断情報ＳＲＣを生成して信号変換部２３０に出力し、無ければ、リンク断情報ＳＲＣの生成と出力をしない。
【００８９】
リンク制御部３４０は、有線伝送路Ｒ１Ａ、Ｒ２Ａ、Ｒ３Ａのうちのいずれかの有線伝送路に障害が生じた場合と、無線伝送路２８０に障害が生じた場合と、伝送装置２９０から対向装置リンク断情報ＴＲＣを受信した場合に、有線伝送路の切断を行う。
【００９０】
具体的には、リンク制御部３４０は、ＬＡＮ信号終端部２２０からの障害情報ＬＳが、有線伝送路Ｒ１Ａ、Ｒ２Ａ、Ｒ３Ａのうちのいずれかに障害が生じていることを示す場合に、該有線伝送路を切断する。
【００９１】
また、リンク制御部３４０は、無線信号送受信部２７０からの無線区間障害情報ＭＳが無線伝送路２８０に障害が生じていることを示す場合に、有線伝送路Ｒ１Ａ、Ｒ２Ａ、Ｒ３Ａを全て切断する。
【００９２】
さらに、対向装置リンク断情報抽出部２６０から対向装置リンク断情報ＴＲＣを受信した場合に、自装置グループ情報保持部３１０に保持された自装置グループ情報ＳＲと、装置間グループ情報保持部３２０に保持された装置間グループ情報ＳＢとを参照して、対向装置リンク断情報ＴＲＣが示すリンクグループ（伝送装置２９０側のリンクグループ）に対応する自装置リンクグループに含まれる全ての有線伝送路を切断する。
【００９３】
ここで、伝送システム２００のいくつかの運用例を説明する。なお、分かりやすいように、運用例の説明に際して、システム全体の流れに重心をおき、個々の機能ブロックの動作について特に説明しない。
【００９４】
＜第１の運用例＞
図９は、伝送システム２００の第１の運用例を説明するための図である。図９において、同一の伝送装置側において、同一の図形により囲まれた有線伝送路と無線伝送路は、同一のリンクグループに属する。また、伝送装置２１０と伝送装置２９０間で、同一の図形により示されるリンクグループ同士が、相対応するリンクグループである。また、大きな「×」は、当該伝送路に障害が検出されていることを示し、小さな「×」は、対向装置リンク断情報ＴＲＣに応じて切断された伝送路を示す。これらについて、後の各図面においても同様である。
【００９５】
図９に示す例では、伝送装置２１０側の全ての有線伝送路Ｒ１Ａ、Ｒ２Ａ、Ｒ３ＡがリンクグループＧ１Ａに属し、リンクグループＧ１Ａは、有線伝送路Ｒ１Ａ、Ｒ２Ａ、Ｒ３Ａ、無線伝送路２８０を有してなる。また、伝送装置２９０側の全ての有線伝送路がリンクグループＧ１Ｂに属し、リンクグループＧ１Ｂは、有線伝送路Ｒ１Ｂ、Ｒ２Ｂ、Ｒ３Ｂ、無線伝送路２８０を有してなる。そして、リンクグループＧ１ＡとリンクグループＧ１Ｂは、互いに対応付けられている。
【００９６】
図９に示すように、伝送装置２１０側におけるリンクグループＧ１Ａに属する有線伝送路Ｒ１Ａに障害が検出されている。しかし、リンクグループＧ１Ａに属する他の有線伝送路（Ｒ２Ａ、Ｒ３Ａ）には障害が無く、リンクが確立しているので、伝送装置２１０は、伝送装置２９０に対してリンク断情報ＳＲＣを送信しない。そのため、有線伝送路Ｒ１Ａに障害があっても、伝送装置２９０側におけるリンクグループＧ１Ｂに属する各有線伝送路（Ｒ１Ｂ、Ｒ２Ｂ、Ｒ３Ｂ）と、伝送装置２１０側におけるリンクグループＧ１Ａに属する有線伝送路Ｒ２Ａ、有線伝送路Ｒ３Ａとの間の通信が可能である。
【００９７】
＜第２の運用例＞
図１０は、伝送システム２００の第２の運用例を示す。この運用例では、伝送装置２１０と伝送装置２９０におけるリンクグループのグループ分けや、伝送装置２１０と伝送装置２９０間のリンクグループの対応関係は、図９に示す例と同様である。図１０に示すように、この例では、伝送装置２１０におけるリンクグループＧ１Ａに属する全ての有線伝送路（Ｒ１Ａ、Ｒ２Ａ、Ｒ３Ａ）に障害が検出されている。そのため、伝送装置２１０から伝送装置２９０に、リンクグループＧ１Ａについてのリンク断情報ＳＲＣが送信される。
【００９８】
その結果、伝送装置２９０側において、リンクグループＧ１Ａに対応するリンクグループＧ１Ｂに属する全ての有線伝送路（Ｒ１Ｂ、Ｒ２Ｂ、Ｒ３Ｂ）が切断される。
【００９９】
＜第３の運用例＞
図１１は、伝送システム２００の第３の運用例を示す。図示のように、伝送装置２１０側において、３つのリンクグループ（Ｇ１Ａ、Ｇ２Ａ、Ｇ３Ａ）が存在し、リンクグループＧ１Ａは有線伝送路Ｒ１Ａと無線伝送路２８０を有してなり、リンクグループＧ２Ａは有線伝送路Ｒ２Ａと無線伝送路２８０を有してなり、リンクグループＧ３Ａは有線伝送路Ｒ３Ａと無線伝送路２８０を有してなる。伝送装置２９０側において、３つのリンクグループ（Ｇ１Ｂ、Ｇ２Ｂ、Ｇ３Ｂ）が存在し、リンクグループＧ１Ｂは有線伝送路Ｒ１Ｂと無線伝送路２８０を有してなり、リンクグループＧ２Ｂは有線伝送路Ｒ２Ｂと無線伝送路２８０を有してなり、リンクグループＧ３Ｂは有線伝送路Ｒ３Ｂと無線伝送路２８０を有してなる。
【０１００】
伝送装置２１０と伝送装置２９０間で、リンクグループＧ１ＡとリンクグループＧ２Ｂとが対応し、リンクグループＧ２ＡとリンクグループＧ１Ｂとが対応し、リンクグループＧ３ＡとリンクグループＧ３Ｂとが対応する。
【０１０１】
また、伝送装置２１０側におけるリンクグループＧ１Ａに属する有線伝送路Ｒ１Ａに障害が検出されている。有線伝送路Ｒ１ＡがリンクグループＧ１Ａに含む唯一の有線伝送路であるため、伝送装置２１０から伝送装置２９０に、リンクグループＧ１Ａについてのリンク断情報ＳＲＣが送信される。
【０１０２】
その結果、伝送装置２９０側において、リンクグループＧ１Ａに対応するリンクグループＧ２Ｂに含まれる全ての有線伝送路（この例ではＲ２Ｂ）が切断される。
【０１０３】
＜第４の運用例＞
図１２は、伝送システム２００の第４の運用例を示す。この運用例では、伝送装置２１０と伝送装置２９０におけるリンクグループのグループ分けや、伝送装置２１０と伝送装置２９０間のリンクグループの対応関係は、図１１に示す例と同様である。図１２に示すように、この例では、無線伝送路２８０に障害が検出されている。
【０１０４】
伝送装置２１０は、無線伝送路２８０の障害を検知すると、伝送装置２１０側の各リンクグループのうちの、無線伝送路２８０が含まれるリンクグループに属する全ての有線伝送路を切断する。この例において、伝送装置２１０側の全てのリンクグループに無線伝送路２８０が含まれているため、これらの全てのリンクグループ（Ｇ１Ａ、Ｇ２Ａ、Ｇ３Ａ）に含まれる全ての有線伝送路、すなわち全ての有線伝送路Ｒ１Ａ、Ｒ２Ａ、Ｒ３Ａが切断される。
【０１０５】
同様に、伝送装置２９０も、無線伝送路２８０の障害を検知すると、伝送装置２９０側の各リンクグループのうちの、無線伝送路２８０が含まれるリンクグループに属する全ての有線伝送路を切断する。伝送装置２９０側においても、全てのリンクグループに無線伝送路２８０が含まれるため、これらの全てのリンクグループ（Ｇ１Ｂ、Ｇ２Ｂ、Ｇ３Ｂ）に含まれる全ての有線伝送路、すなわち全ての有線伝送路Ｒ１Ｂ、Ｒ２Ｂ、Ｒ３Ｂが切断される。
【０１０６】
本実施の形態の伝送システム２００は、本発明に係る技術の原理を具現化したものであり、本発明に係る技術の原理を説明する際に述べた全ての効果を得ることができる。
【０１０７】
以上、実施の形態をもとに本発明を説明した。実施の形態は例示であり、本発明の主旨から逸脱しない限り、上述各実施の形態、実施例に対して、さまざまな変更、増減、組合せを加えてもよい。これらの変更、増減、組合せが加えられた変形例も本発明の範囲にあることは当業者に理解されるところである。
【０１０８】
例えば、伝送システム２００は、伝送装置間の伝送路が無線伝送路であり、伝送装置２１０と伝送装置２９０は無線伝送装置である。本発明に係る技術は、伝送システム２００のような、伝送路の一部に無線伝送路を用いたシステムに限らず、伝送装置間の伝送路は、有線、無線などのいかなる伝送路であってもよい。必然的に、伝送装置も、無線伝送装置に限らず、光伝送装置や、光コンバータ、スイッチングハブ、ルータなどであってもよい。
【０１０９】
また、リンクグループの分け方や、障害通知のポリシーも、上記に挙げられた例に限らず、本発明の趣旨を逸脱しない範囲で、ユーザにより任意に設定可能である。
【０１１０】
この出願は、２０１０年１０月２８日に出願された日本出願特願２０１０−２４２０９２を基礎とする優先権を主張し、その開示の全てをここに取り込む。
【産業上の利用可能性】
【０１１１】
本発明は、障害通知、具体的には、伝送装置間の伝送路を介して接続された伝送装置により、各伝送装置に接続された複数の有線伝送路の信号を伝送するシステムにおける障害の通知に適用することができる。
【符号の説明】
【０１１２】
１００  伝送装置  １１０  自装置グループ情報保持部
１２０  装置間グループ情報保持部  １３０  リンク断情報送信部
１４０  リンク制御部  ２００  伝送システム
２１０  伝送装置  ２２０  ＬＡＮ信号終端部
２３０  信号変換部  ２４０  信号再生部
２５０  対向装置グループ情報抽出部  ２６０  対向装置リンク断情報抽出部
２７０  無線信号送受信部  ２８０  無線伝送路
２９０  伝送装置  ３００  制御部
３１０  自装置グループ情報保持部  ３２０  装置間グループ情報保持部
３３０  リンク断情報送信部  ３４０  リンク制御部
ＣＴＲ  リンク断制御信号  ＤＬＳ  ＬＡＮデータ
ＤＬＲ  ＬＡＮデータ  ＤＲ  受信データ
ＤＳ  送信データ  ＬＰ  ＬＡＮポート情報
ＬＳ  障害情報  ＭＰ  無線ポート情報
ＭＳ  無線区間障害情報  ＳＢ  装置間グループ情報
ＳＲ  自装置グループ情報  ＳＲＣ  リンク断情報
ＴＲ  対向装置グループ情報  ＴＲＣ  対向装置リンク断情報
【図１】
2012056711.tif 000003
【図２】
2012056711.tif 000004
【図３】
2012056711.tif 000005
【図４】
2012056711.tif 000006
【図５】
2012056711.tif 000007
【図６】
2012056711.tif 000008
【図７】
2012056711.tif 000009
【図８】
2012056711.tif 000010
【図９】
2012056711.tif 000011
【図１０】
2012056711.tif 000012
【図１１】
2012056711.tif 000013
【図１２】
2012056711.tif 000014
【手続補正書】
【提出日】平成25年4月24日(2013.4.24)
【手続補正１】
【補正対象書類名】特許請求の範囲
【補正対象項目名】全文
【補正方法】変更
【補正の内容】
【特許請求の範囲】
【請求項１】
伝送装置間伝送路を介して対向接続された１対の伝送装置により、各前記伝送装置に接続された複数の有線伝送路の信号を伝送するシステムにおける前記伝送装置であって、
該伝送装置に接続された各前記有線伝送路と、該有線伝送路が属するリンクグループとの対応関係を示す自装置グループ情報を保持する自装置グループ情報保持手段であって、１つの前記リンクグループが、該伝送装置に接続された１つ以上の有線伝送回路と、前記伝送装置間伝送路とを有してなる前記自装置グループ情報保持手段と、
該伝送装置の各前記リンクグループと、該伝送装置と対向接続された伝送装置の各前記リンクグループとの対応関係を示す装置間グループ情報を保持する装置間グループ情報保持手段と、
前記自装置グループ情報を参照して、該伝送装置のいずれかの前記リンクグループに属する１つまたは複数の前記有線伝送路の障害が検出された際に、該リンクグループの障害を示すリンク断情報を、前記伝送装置間伝送路を介して、該伝送装置と対向接続された伝送装置に送信するリンク断情報送信手段と、
該伝送装置に接続されたいずれかの前記有線伝送路の障害が検出された際に、該有線伝送路を切断し、
前記伝送装置間伝送路の障害が検出された際に、該伝送装置に接続された全ての前記有線伝送路を切断し、
前記伝送装置間伝送路を介して、該伝送装置と対向接続された伝送装置のいずれかのリンクグループの障害を示す前記リンク断情報を受信した際に、前記装置間グループ情報と前記自装置グループ情報とを参照して、該伝送装置におけるリンクグループのうちの、受信した前記リンク断情報が示すリンクグループに対応するリンクグループに含まれる各前記有線伝送路を切断するリンク制御手段とを備えることを特徴とする伝送装置。
【請求項２】
前記伝送装置間伝送路は、無線伝送路であることを特徴とする請求項１に記載の伝送装置。
【請求項３】
該伝送装置に接続された複数の有線伝送路は、ユーザにより任意に「使用」または「未使用」の設定が可能であり、
前記自装置グループ情報保持手段と、前記装置間グループ情報保持手段と、前記リンク断情報送信手段と、前記リンク制御手段とは、「使用」に設定された前記有線伝送路のみを対象とすることを特徴とする請求項１または２に記載の伝送装置。
【請求項４】
伝送装置間伝送路と、該伝送装置間伝送路を介して対向接続された１対の伝送装置とを有し、該１対の伝送装置により、各前記伝送装置に接続された複数の有線伝送路の信号を伝送する伝送システムであって、
前記伝送装置は、
該伝送装置に接続された各前記有線伝送路と、該有線伝送路が属するリンクグループとの対応関係を示す自装置グループ情報を保持する自装置グループ情報保持手段であって、１つの前記リンクグループが、該伝送装置に接続された１つ以上の有線伝送回路と、前記伝送装置間伝送路とを有してなる前記自装置グループ情報保持手段と、
該伝送装置の各前記リンクグループと、該伝送装置と対向接続された伝送装置の各前記リンクグループとの対応関係を示す装置間グループ情報を保持する装置間グループ情報保持手段と、
前記自装置グループ情報を参照して、該伝送装置のいずれかの前記リンクグループに属する１つまたは複数の前記有線伝送路の障害が検出された際に、該リンクグループの障害を示すリンク断情報を、前記伝送装置間伝送路を介して、該伝送装置と対向接続された伝送装置に送信するリンク断情報送信手段と、
該伝送装置に接続されたいずれかの前記有線伝送路の障害が検出された際に、該有線伝送路を切断し、
前記伝送装置間伝送路の障害が検出された際に、該伝送装置に接続された全ての前記有線伝送路を切断し、
前記伝送装置間伝送路を介して、該伝送装置と対向接続された伝送装置のいずれかのリンクグループの障害を示す前記リンク断情報を受信した際に、前記装置間グループ情報と前記自装置グループ情報とを参照して、該伝送装置におけるリンクグループのうちの、受信した前記リンク断情報が示すリンクグループに対応するリンクグループに含まれる各前記有線伝送路を切断するリンク制御手段とを備えることを特徴とする伝送システム。
【請求項５】
伝送装置間伝送路を介して対向接続された１対の伝送装置が各前記伝送装置に接続された複数の有線伝送路の信号を伝送するシステムにおける前記伝送装置による障害通知方法において、
該伝送装置に接続された各前記有線伝送路と、該有線伝送路が属するリンクグループとの対応関係を示す自装置グループ情報を保持し、
１つの前記リンクグループが、該伝送装置に接続された１つ以上の有線伝送回路と、前記伝送装置間伝送路とを有してなり、
該伝送装置の各前記リンクグループと、該伝送装置と対向接続された伝送装置の各前記リンクグループとの対応関係を示す装置間グループ情報を保持し、
前記自装置グループ情報を参照して、該伝送装置のいずれかの前記リンクグループに属する１つまたは複数の前記有線伝送路の障害が検出された際に、該リンクグループの障害を示すリンク断情報を、前記伝送装置間伝送路を介して、該伝送装置と対向接続された伝送装置に送信し、
該伝送装置に接続されたいずれかの前記有線伝送路の障害が検出された際に、該有線伝送路を切断し、
前記伝送装置間伝送路の障害が検出された際に、該伝送装置に接続された全ての前記有線伝送路を切断し、
前記伝送装置間伝送路を介して、該伝送装置と対向接続された伝送装置のいずれかのリンクグループの障害を示す前記リンク断情報を受信した際に、前記装置間グループ情報と前記自装置グループ情報とを参照して、該伝送装置におけるリンクグループのうちの、受信した前記リンク断情報が示すリンクグループに対応するリンクグループに含まれる各前記有線伝送路を切断することを特徴とする障害通知方法。
【請求項６】
複数の有線伝送路および無線伝送路のそれぞれと接続する伝送装置であって、
前記複数の有線伝送路の少なくとも１つと無線伝送路とで構成されるグループを示すグループ情報を保持するグループ情報保持手段と、
前記複数の有線伝送路のいずれかで障害が検出された場合に、前記グループ情報を参照して、前記無線伝送路に障害情報を出力する障害情報出力手段と
を備える
ことを特徴とする伝送装置。
【請求項７】
前記障害情報出力手段は、前記グループ情報により、同じグループに属する有線伝送路の一部だけに障害が検出された場合は、前記無線伝送路に前記障害情報を出力せず、
前記グループに属する有線伝送路の全てに障害が検出された場合は、前記無線伝送路に前記障害情報を出力する
ことを特徴とする請求項６に記載の伝送装置。
【請求項８】
前記グループ情報保持手段は、前記グループと、自装置と前記無線伝送路を介して対向する他の伝送装置のグループとの対応関係を示す装置間グループ情報を保持する
ことを特徴とする請求項６または７に記載の伝送装置。
【請求項９】
前記伝送装置が前記無線伝送路から障害情報を受信した場合、前記装置間グループ情報を参照して、前記障害情報で示される前記他の伝送装置のグループと対応関係にある自装置のグループに属する有線伝送路を切断するリンク制御手段をさらに備えることを特徴とする請求項８に記載の伝送装置。
【請求項１０】
複数の有線伝送路および無線伝送路のそれぞれと接続する伝送装置に用いられる通信方法であって、
前記複数の有線伝送路の少なくとも１つと無線伝送路とで構成されるグループを示すグループ情報を保持し、
前記複数の有線伝送路のいずれかで障害が検出された場合に、前記グループ情報を参照して、前記無線伝送路に障害情報を出力する
ことを特徴とする通信方法。
【国際調査報告】
2012056711.tif 000015
2012056711.tif 000016